(57)【要約】【課題】    構造を複雑にすることなく、より円滑に引戸の開放動作を行うことができるフラット引戸を提供する。【解決手段】  このフラット引戸は、第１戸板１０に設けられた案内部４と、第２戸板に設けられた被案内部５と、前後方向について第２戸板２０を第１戸板側１０へ付勢する付勢手段６とを備える。案内部４は、左右に伸びる直線区間４１と、直線区間４１の左端又は右端へ直線区間４１に連続して設けられた傾斜区間４２とを備える面である。戸が開放状態のとき、被案内部５は、戸板の左右のスライドに伴って直線区間を倣う。戸が閉鎖状態のとき、被案内部５は、案内部４から開放され、前後方向について、第２戸板２０が第１戸板１０側へ変位することを許す。戸を閉鎖状態から開放状態へ移行するに際して、被案内部５は、案内部４の傾斜区間４２と当接して傾斜区間４２を倣い、直線区間４１へ案内される。【選択図】          図１
2008121241.tif 000002
【特許請求の範囲】
【請求項１】
左右に伸びる第１及び第２の少なくとも２本のレールと、第１及び第２のレールの夫々に嵌められレールに沿って左右にスライドする第１及び第２の少なくとも２枚の戸板とを備えた引き違い戸であって、前後に伸びる第３のレールを備え、第２レールは、第３レールに取り付けられて第１レールに対し前後にスライドすることができ、戸を閉ざした際、第１及び第２の両戸板を面一にすることができるフラット引戸において、
第１及び第２の戸板の何れか一方に設けられた案内部と、第１及び第２の戸板の少なくとも何れか他方に設けられた被案内部と、前後方向について第２戸板を第１戸板側へ直接或いは間接的に付勢する付勢手段とを備え、
案内部は、左右に伸びる直線区間と、直線区間の左端又は右端へ直線区間に連続して設けられた傾斜区間とを備える面であって、
傾斜区間は、左右方向について直線区間より離れるに従い、前後方向について直線区間より漸次後退するものであり、
戸が開放状態のとき、被案内部は、案内部の直線区間と当接し、付勢手段の付勢に抗して前後方向について両戸板が接近するのを阻止すると共に、戸板の左右のスライドに伴って直線区間を倣い、
戸が閉鎖状態のとき、被案内部は、案内部の直線区間から開放され、前後方向について、付勢手段の付勢により、第２戸板が第１戸板側へ変位することを許すものであり、
少なくとも戸を閉鎖状態から開放状態へ移行するに際して、被案内部は、案内部の傾斜区間と当接して傾斜区間を倣うことにより、直線区間へ案内されるものであることを特徴とするフラット引戸。
【請求項２】
上記の案内部は、左右に伸びるガイドバーであり、被案内部は、ガイドバーを倣うガイドローラであることを特徴とする請求項１記載のフラット引戸。
【請求項３】
第１レール及び第３レールは、引戸が設けられた部屋の天井或いは壁面に固定され、
第１戸板は、第１レールに吊着され、第２戸板は、第２レールに吊着されたものであり、
少なくとも第２戸板の下端面には、左右に伸びるガイドレール部が形成され、床には、当該ガイドレール部に対応する被ガイド部が設けられ、
被ガイド部は、基端側が床に軸止されたアームを介して床に取り付けられたものであり、被ガイド部は、上記軸止位置よりアームの先端側に設けられたものであり、
戸の開閉時に、アームの旋回により、アームに設けられた被ガイド部を前後方向へ移動させることができ、これにて、第２戸板の前後方向への変位を案内するものであることを特徴とする請求項１又は２記載のフラット引戸。
【発明の詳細な説明】
【技術分野】
【０００１】
本願発明は、フラット引戸に関するものである。
【背景技術】
【０００２】
【特許文献１】特開２００６−１４４２２１号公報
【０００３】
家具や部屋の間仕切りに用いられる引戸について、特許文献１へ示す、戸を閉じた際に左右両戸板が面一になるフラット引戸が提案されている。
部屋の間仕切りを例に採ると、このフラット引戸は、左右に伸びる第１レールと、部屋の天井又は壁面上部に設けられて左右に伸びる第２レールと、第１及び第２のレールの夫々に吊着されレールに沿って左右にスライドする第１及び第２の少なくとも２枚の戸板とを備えた引き違い戸であって、部屋の天井又は壁面上部に設けられて前後に伸びる別途第３のレールを備え、第２レールは、第３レールに取り付けられて第１レールに対し前後にスライドすることができ、これにて、戸を閉ざした際、第１及び第２の両戸板を面一にすることができる。
【０００４】
このように、特許文献１に示す発明は、簡単な構造によって、フラット引戸を実現し得たものである。
一方、特許文献１に示す発明に係るフラット引戸において、戸の開閉時、即ち第２戸板の開閉動作時、実用的には問題ないものの、第１戸板に多少のがたつきが生じるものであった。
【０００５】
このため、本願発明者は、この特許文献１に示す引戸において、少なくとも戸を開く際の動作を、更に円滑に行えないかと考えた。
【発明の開示】
【発明が解決しようとする課題】
【０００６】
本願発明は、構造を複雑にすることなく、より円滑に引戸の開放動作を行うことができるフラット引戸を提供して、上記課題の解決を図るものである。
【課題を解決するための手段】
【０００７】
本願第１の発明は、左右に伸びる第１及び第２の少なくとも２本のレール１，２と、第１及び第２のレール１，２の夫々に嵌められレール１，２に沿って左右にスライドする第１及び第２の少なくとも２枚の戸板１０，２０とを備えた引き違い戸であって、前後に伸びる第３のレール３を備え、第２レール２は、第３レール２に取り付けられて第１レール１に対し前後にスライドすることができ、これにて、戸を閉ざした際、第１及び第２の両戸板１０，２０を面一にすることができるフラット引戸について次の構成を採るものを提供する。
即ち、第１及び第２の戸板１０，２０の何れか一方に設けられた案内部４と、第１及び第２の戸板の少なくとも何れか他方に設けられた被案内部５と、前後方向について第２戸板２０を第１戸板側１０へ直接或いは間接的に付勢する付勢手段６とを備える。案内部４は、左右に伸びる直線区間４１と、直線区間４１の左端又は右端へ直線区間４１に連続して設けられた傾斜区間４２とを備える面である。傾斜区間４２は、左右方向について直線区間４１より離れるに従い、前後方向について直線区間４１より漸次後退する。戸が開放状態のとき、被案内部５は、案内部４の直線区間４１と当接し、付勢手段６の付勢に抗して前後方向について両戸板１０，２０が接近するのを阻止すると共に、戸板の左右のスライドに伴って直線区間を倣う。戸が閉鎖状態のとき、被案内部５は、案内部４の直線区間４１から開放され、前後方向について、付勢手段６の付勢により、第２戸板２０が第１戸板１０側へ変位することを許すものである。少なくとも戸を閉鎖状態から開放状態へ移行するに際して、被案内部５は、案内部４の傾斜区間４２と当接して傾斜区間４２を倣うことにより、直線区間４１へ案内される。
【０００８】
本願第２の発明では、上記本願第１の発明にあって、上記の案内部４が、左右に伸びるガイドバーであり、被案内部５は、ガイドバーを倣うガイドローラであることを特徴とするフラット引戸を提供する。
【０００９】
本願第３の発明は、上記本願第１又は第２の発明にあって、次の構成を採るフラット引戸を提供する。
即ち、第１レール１及び第３レール３は、引戸が設けられた部屋の天井或いは壁面に固定されている。第１戸板１０は、第１レール１に吊着され、第２戸板２０は、第２レール２に吊着されたものである。少なくとも第２戸板２０の下端面には、左右に伸びるガイドレール部が形成され、床には、当該ガイドレール部に対応する被ガイド部７１が設けられている。被ガイド部７１は、基端側が床に軸止されたアーム７３を介して床に取り付けられたものであり、被ガイド部７１は、上記軸止位置よりアーム７３の先端側に設けられたものである。戸の開閉時に、アーム７３の旋回により、アーム７３に設けられた被ガイド部７１を前後方向へ移動させることができ、これにて、第２戸板２０の前後方向の変位を案内する。
【発明の効果】
【００１０】
本願第１〜３の発明の実施にて、簡単な構造で戸を閉めた際に戸板が面一になるフラット引戸において、少なくとも戸を開く際の戸板の前後方向へ動作を円滑に行うことができ、戸板のがたつきを抑制した。
また、本願第２の発明は、上記のフラット引戸についてより具体的な手段を提供した。
特に、本願第３の発明は、第２レールに吊着された第２戸板の開閉時、第２戸板の下端側を案内することにより、第２戸板の動作を安定させ、その開閉を円滑に行うことを可能とした。
例えば、引戸をレールに吊着することにより、床にレールを設ける必要がなく、ウォークイン・クローゼットなどの人が出入りする引戸について、足元からレールを排除することができ、安全で、見栄えのよいものであるが、このようなメリットと引き換えに戸板下方の開閉動作の安定性が損なわれる。この点について、本願第３の発明の実施により、開閉時、戸板下方を安定して動作させることができるものとした。
【発明を実施するための最良の形態】
【００１１】
以下、図面を参照しつつ、本願発明の好ましい実施の形態について、説明する。図１〜図１２へ本願発明の一実施の形態に係る装置を示す。
図１は、本願発明に係る引戸の閉鎖状態を示す略背面図である。図２は、図１に示す引戸の開放状態を示す略背面図である。図３は、図１に示す引戸の要部略側面図である。図４は、図２に示す状態の引戸の要部略側面図である。図５は、第３レールの略断面図である。図６は、図１に示す引戸の要部斜視図である。図７は、図１に示す引戸の開放開始の状態を示す要部斜視図である。図８（Ａ）は図１に示す引戸の要部略平面図であり、図８（Ｂ）は引戸が図８（Ａ）に示す状態のときの案内部と被案内部の位置関係を示す要部略平面図である。図１０（Ａ）は図２に示す状態に移行する直前の引戸の要部略平面図であり、図１０（Ｂ）は引戸が図１０（Ａ）に示す状態のときの案内部と被案内部の位置関係を示す要部略平面図である。図９（Ａ）は図８（Ａ）から図１０（Ａ）へ示す状態へ移行する途中の引戸の要部略平面図であり、図９（Ｂ）は図９（Ａ）に示す状態のときの案内部と被案内部の位置関係を示す要部略平面図である。図１１は引戸の要部略縦断面図である。図１２（Ａ）は戸板が図８（Ａ）に示す状態のときの下端ガイド機構の平面図であり、図１２（Ｂ）は戸板が図１０（Ａ）に示す状態のときの下端ガイド機構の平面図である。
説明の便宜上、各図中、Ｕは上方を、Ｓは下方を、Ｌは左方を、Ｒは右方を、Ｆは前方を、Ｂは後方を、夫々示している。
【００１２】
この引戸を室内に設けられたウォークイン・クローゼットの扉として設けた場合を例に採って説明する。図１及び図２において、ｗ１は天井、ｗ２，ｗ２は壁面、ｗ３は床を示している。
図１に示す通り、この引戸は、第１レール１と、第２レール２と、第３レール３と、第１戸板１０と、第２戸板２０と、案内部４と、被案内部５と、付勢手段６と、下端ガイド機構７とを備える。
以下、各部の構成について、順に説明する。
【００１３】
上記の第１レール１は、左右の壁ｗ２，ｗ２間に渡されて左右に伸び、当該壁ｗ２，ｗ２に固定されている。具体的には、図１へ示す通り、上記の壁ｗ２，ｗ２の天井ｗ１寄りの部位の夫々に取り付けられた冶具８，８へ、第１レール１の両端が固定されている。
一方、両壁ｗ２，ｗ２の第１レール１の上方の位置には、夫々、壁ｗ２，ｗ２に沿って前後に伸びる第３レール３，３が設けられている。具体的には、上記の冶具８，８は、正面視略コ字に形成されたのであり、その上下がアングルとなっている。冶具８の下方のアングルに、上記第１レール１の端部が固定されており、冶具８の上方のアングルに、第３レール３が固定されている。
そして、上記の第２レール２は、両第３レール３，３間に配設され、両端を第３レール３，３の夫々に、保持されている。これにて、第２レール２は、第３レール３，３に沿って前後に摺動することができる。
第１レール１には、上記の第１戸板１０が吊着されている。また、第２レール２には、上記の第２戸板２０が吊着されている。
【００１４】
具体的には、第１戸板１０は、第１レール１内に嵌められる戸車１１，１１（以下必要に応じて第１戸車１１，１１と呼ぶ。）を備え、当該戸車１１，１１にて第１レール１に吊るされている。
また、第２戸板２０も、第２レール２内に嵌められる戸車２１，２１（以下必要に応じて第２戸車２１，２１と呼ぶ。）を備え、当該戸車２１，２１にて、第２レール２に吊るされている。更に、第２レール２は、その左右両端に、第３レール３，３内に嵌められる戸車２３，２３（以下第３戸車２３，２３と呼ぶ。）を備える。第２レール２は、この第３戸車２３，２３によって、第３レール３，３間に支持される。第２レール２が、第３レール３，３に沿って前後に移動することによって、第２戸板２０を前後に変位させることができ、引戸を閉鎖した際に、前後方向について第１戸板１０と同じ位置に第２戸板２０を変位させて、両戸板の少なくとも正面を面一に並べることができる。
引戸の開放時には、第２レール２と共に第２戸板２０を（第１戸板１０より）前方へ押し出す。そして、前方に押し出された第２レール２に沿って第２戸板２０を右又は左に摺動させることにより、第１戸板１０に第２戸板２０を重ねて（左右方向について同じ位置にして）引戸を開放することができる。
この実施の形態において、案内部４は、第１戸板１０に設けられ、被案内部５は、第２戸板２０に設けられており、上記の引戸の開閉に際して、付勢手段６の付勢を受けて、被案内部５が案内部４を倣い、引戸の開閉をガイドする。また、このとき、下端ガイド機構７が、戸板の下方を案内する。
【００１５】
以下、更に詳しく説明する。
両戸板１０，２０は、図４へ示す前方Ｆ側の面を正面、即ち、ウォークイン・クローゼットの外部を臨む面とする（戸板１０，２０より後方Ｂ側が、ウォークイン・クローゼットの内部となる）。
この実施の形態において、図１へ示す、右側の戸板が、第１戸板１０であり、左側の戸板が第２戸板２０である。上記の第３レールは、図１〜図４へ示す通り、戸板１０，２０の後方即ち、ウォークイン・クローゼットの内部において、壁面ｗ２に設けられている。
【００１６】
第１戸板１０は、上記の第１戸車１１，１１と、第１戸板本体１２と、ブラケット１３（以下必要に応じて第１ブラケット１３と呼ぶ。）とを備える。
第１ブラケット１３は、第１戸板本体１２の背面において、第１戸板本体１２の上端寄りに設けられている。この第１ブラケット１３は、上面に第１戸車１１，１１が接続され第１レール１の直下に位置するベース部材１３ａ（以下必要に応じて第１ベース部材１３ａと呼ぶ。）と、第１ベース部材１３ａを第１戸板本体１２の背面に接続する支持手１３ｂ，１３ｂと、アングル１３ｃ，１３ｃとを備える。第１ベース部材１３ａは、第１戸板本体１２の背面側において、左右に伸びる、断面が矩形の長尺の板状体である。
【００１７】
図１、図３及び図４へ示す通り、第２戸板２０は、上記の第２戸車２１，２１と、第２戸板本体２２と、上記の第３戸車２３，２３と、ブラケット２４（以下必要に応じて第２ブラケット２４と呼ぶ。）とを備える。
図１、図３及び図４へ示す通り、第２ブラケット２４は、ベース部材２４ａ（以下必要に応じて第２ベース部材２４ａと呼ぶ。）と、第２ベース部材２４ａを第２戸板本体２１の背面に接続する支持腕２４ｂ，２４ｂとにより構成される。この実施の形態において、第２ブラケット２４ａのベース部材２４ａの背面が、上記の案内部４である。
第２ブラケット２４のベース部材２４ａは、第２戸板本体２２の背面において、左右に伸びる、断面が矩形の長尺の板状体である。
尚、上記の図１及び図２において、斑点で示す部分が、第１戸板本体１２及び第２戸板本体２２である。
【００１８】
図４へ示す通り、この実施の形態において、引戸を開放したとき、第１戸板１０側の前方側（正面側）へ第２戸板２０が位置する。第２戸板本体２２に設けられたブラケット２４の支持腕２４ｂは、この図４へ示す第１戸板本体１１へ第２戸板本体２２を重ねた状態のとき、第１戸板１０の上端を跨いで第１戸板１０の（背面側）後方へ、第２ベース部材２４ａを配位させるものである。
【００１９】
この実施の形態において、第２ベース部材２４ａの背面が、上記の案内部４を構成する。図６及び図８（Ｂ）へ示す通り、案内部４即ち第２ベース部材２４ａの背面は、平面視において左右に直線的に伸びる直線区間４１と、直線区間４１の右端側に直線区間と連続する傾斜区間４２とを備える。傾斜区間４２は、図８（Ｂ）へ示す通り、直線区間４１側から右側へ移行するに従って、直線区間４１より前方へ漸次後退する。
【００２０】
図５へ示す通り、第３レール３内には、上記の付勢手段６が設けられおり、この付勢手段６は、第３レール３内の第３戸車２３を常時後方側へ付勢する。
この実施の形態において、付勢手段６は、バネである。この他、付勢手段６としては油圧や空気といった流体圧を利用するアクチュエータを備えたものを採用することができる。
上記のバネは、押しバネであっても引きバネの何れでもよい。この実施の形態において、付勢手段６として引きバネを採用し、当該引きバネの一端を、第３レール３の内部後端に固定し当該引きバネの他端を、第３レール３内の上記第３戸車２３に固定している。第３戸車２３が、付勢手段６の付勢を受けて、後方に付勢されることにより、図４へ示す状態において、第２戸板本体２２が、第１戸板本体１２側へ付勢される。
【００２１】
第１戸板１０の上記アングル１３ｃ，１３ｃ夫々の上面には、被案内部５として、ガイドローラが軸止されている。この実施の形態において、アングル１３ｃ，１３ｃの上面は、水平な面であり、当該上面に対して、ガイドローラの軸は、略鉛直方向に伸びる。図４へ示す通り、上記付勢手段６の付勢により、第２戸板本体２２に取り付けられたブラケット２４の上記被案内部５（ガイドローラ）が、第２ブラケット２４の上記ベース部材２４ａの背面（案内部４）へ押圧される。
【００２２】
第１及び第２戸板本体１２，２２の夫々の前後の幅（厚み）は、等しい。
図８（Ａ）へ示す通り、第１戸板本体１２の左端と、第２戸板本体２２の右端とは、夫々テーパ面となっている。具体的には、平面視において、第１戸板本体１２の左端は、第戸板本体１２の正面側に現れるテーパ面となっており、第２戸板本体２２の右端は、第２戸板本体２２の背面側に現れるテーパ面となっている。
引戸を閉鎖した状態において、両テーパ面は突き合った状態となり、両戸板本体１２，２２の正面と裏面とは面一に並ぶ。
そして、引戸を開放する際、第２戸板本体２２を前方へ押す或いは引張ることにより、第３レール３に案内される第２レール２と共に第２戸板本体２２を前方へ変位させることができる（作業を行う者がウォークイン・クローゼットの中にするときは第２戸板本体２２を前方へ押すことになり、ウォークイン・クローゼットの外にいるとき、第２戸板本体２２を前方へ引張ることにより、この動作が行われる）。
このとき、図９（Ａ）へ示す通り、第１戸板本体１２の左端のテーパ面に、第２戸板本体２２の右端のテーパ面を沿わせた状態で、第２戸板本体２２を前方へ変位させることができる。
そして、図１０（Ａ）へ示す通り、第２レール２と共に第１戸板本体１２の前方へ完全に移動した第２戸板本体２２は、右側へ即ち第２戸板本体２２の正面側へ向けて押されることにより、第１戸板本体１２の直前まで、スライドすることができる。
【００２３】
上記にて開放された引戸は、上記と逆の動作にて、閉鎖することができる。
即ち、第１戸板本体１２の直前に重ねて配置された第２戸板本体２２を、図１０（Ａ）へ示す状態において、左側へスライドさせ、第１戸板本体１２の直前から、第２戸板本体２２完全を左側へ移動させると、図９（Ａ）へ示すように、第１戸板１０全体は第２戸板２０の正面（直前）から左に離れ、付勢手段６の付勢により、第２戸板本体２２を後方へ移動させることが可能となる。そして、図８（Ａ）へ示す通り、第２戸板本体２２を第１戸板本体１２と面一に並べて配置することができ、引戸を閉鎖することができる。
【００２４】
次に、上記の戸板の開閉に伴う、案内部４と被案内部５の動作について説明する。
第２戸板２０は、図８（Ａ）へ示す引戸を閉鎖した状態のとき、図８（Ｂ）へ示す通り、被案内部５は、案内部４の傾斜区間４２と当接しており、このとき、被案内部５は、傾斜区間４２の右端寄りの位置にある。図９（Ａ）へ示す通り、第２戸板本体２２を押して或いは引張って前方へ移動させると、付勢手段６の付勢にて案内部４との当接を維持しつつ、案内部４は、前方へ移動する。その結果、相対的に被案内部５は、当接部４の傾斜面４２を直線区間４１側へ向けて左側へ変位することになる。このため、第２戸板本体２２の前方への押し出し或いは引き出しの動作により、第２戸板本体２２は、前方へ移動しつつ、右側への移行を開始する。このような案内部４の被案内部５に対する案内によって、図９（Ａ）へ示す通り、第２戸板本体２２は、第１戸板本体１２のテーパ面に沿って円滑に移動することができる。
そして、第２戸板本体２２が、前後方向について第１戸板本体１２より前方へ完全に移行すると、図１０（Ｂ）へ示す通り、被案内部５は、案内部４の直線区間４１へ移行を開始し、案内部４の右側への移動によって、被案内部５は直線区間４１を倣う。これにて、図１０（Ａ）へ示す通り、第２戸板本体２２は、第１戸板本体１２の直前まで、右側へ移動することができ、戸板を開放することができる。
【００２５】
戸板の閉鎖に際しては、上記とは逆に、被案内部５を案内部４の直線区間４１から傾斜区間４２へ移行させることにより、円滑な戸板の動作を実現することができる。
【００２６】
ここで、上記引戸の開閉と案内部４及び被案内部５の関係を総括する。
案内部４は、平面視直線状の区間（直線区間４１）と、直線区間４１の右又は左へ当該直線区間４１と連続して形成された平面視傾斜した区間（傾斜区間４２）とにて構成された面である。傾斜区間４２は、平面視において、直線区間４１から離れるに従って、戸板の開放動作時の第２戸板を送り出す方向（前方）に向けて斜めに後退する面である。
直線区間４１は、戸板（第２戸板２０）の左右方向へのスライド中、付勢手段６の付勢を受けて、被案内部５が押し付けられる。被案内部５は、戸板（第２戸板２０）の左右方向のスライド中、直線区間４１と当接する位置にあり、直線区間４１を倣う。傾斜区間４２は、戸板の前後方向への移動中、付勢手段６の付勢を受けて、被案内部４が押し付けられる。被案内部５は、戸板（第２戸板２０）の前後方向へスライド中、傾斜区間４２と当接する位置にあり、傾斜区間４２を倣う。このように、傾斜区間４２は、被案内部５を案内することにより、戸板（第２戸板２０）の前後方向のスライドを正確に行わせる、前後方向の摺動案内部であり、戸の開放時、直線区間４１へ被案内部５を案内することができ、また、戸の閉鎖時直線区間４１から被案内部５を案内することができる。直線区間４１は、被案内部５を案内することにより、戸板（第２戸板２０）の左右方向のスライドを正確に行わせる、左右方向の摺動案内部であり、戸の開放時、傾斜区間４２へ被案内部５を案内することができ、また、戸の閉鎖時、傾斜区間４２から被案内部５を案内することができる。特に、上記の通り、左右の摺動案内部（直線区間４１）に連続して前後の摺動案内部（傾斜区間４２）が形成されることにより、戸板の前後のスライドから左右方向へのスライドの移行が円滑に行える。
また、換言すると、直線区間４１は、被案内部４に左右方向への摺動を許す左右移動案内区間であると共に前後方向の移動を規制する前後移動規制区間であり、傾斜区間４２は、第２戸板２０を戸の閉鎖状態から前方へ移動させる際の当該移動方向に沿って直線区間４１より前方へ斜めに偏向する斜め移動案内区間であって、第２戸板２０の当該開放初期の移動方向に則して被案内部４を案内する開放初期案内区間である。傾斜区間４２は、平面視において直線的（平らな面）である必要はないが、第２戸板２０の開閉の軌跡に沿ったものとする必要がある。従って、被案内部５が傾斜区間４２にあるとき、第２戸板２０の開閉の軌跡が直線的であれば傾斜区間４２を直線的なものとし、第２戸板２０の開閉の軌跡が円弧を描くものであれば、傾斜区間４２を平面視円弧状とすればよい。
閉鎖状態からフラット引戸を開放する際、通常第２戸板２０を前方へ引き或いは押し出すと同時に、第１戸板１０側へ引く或いは押すように力が加えられる。このような力（前後方向と左右方向の合力）の向きに沿って、閉鎖された引戸を斜め方向へ移動開始させるのは、がたつきやすいものであったが、上記の通り案内部４の傾斜区間４２に被案内部５を倣わせることにより、安定した動作が可能となった。
また、上記傾斜区間４２と共に、両戸板の左右端のテーパ面も、開放開始時の上記の斜め方向の第２戸板２０の円滑な移動を助ける。
【００２７】
最後に、図１１及び図１２を用いて、下端ガイド機構７について説明する。
図１１へ示す通り、下端ガイド機構７は、第１戸板本体１２の下端に設けられた第１ガイドレール部１５と、第２戸板本体２２の下端に設けられた第２ガイドレール部２５と、床ｗ３に取り付けられた板状のベース部材７４と、ベース部材７４の上面に設けられた第１被ガイド部７０と、基端側がべース部材７４の上面に軸止されたアーム７３と、アーム７３の先端側に設けられた第２被ガイド部７１とを備える。
第１ガイドレール部１５は、第１戸板本体１２の下端に設けられた、左右に伸びる溝である。第２ガイドレール部２５は、第２戸板本体２２の下端に設けられた、左右に伸びる溝である。
第１被ガイド部７０は、ベース部材７４の上面に軸止されたローラであり、第１戸板本体１２の第１カイドレール部１５に収容される。
第２被ガイド部７１は、アーム７３に軸止されたローラであり、第２戸板本体２２の第２ガイドレール部２５に収容される。
第２被ガイド部７１は、アーム７３の揺動により、前後に移動することができる。
【００２８】
図１２（Ｂ）へ示す通り、引戸を閉鎖した状態（第１戸板本体１２と第２戸板本体２２とを面一にした状態）において、アーム７３は、ベース部材７４に重なっている。そして、引戸を開放するために、第２戸板本体２２を前方へ押し出すと、アーム７３は、図１１及び図１２（Ａ）へ示す通り、第２ガイドレール部２５に収容された第２被ガイド部７１に引張られて、その基部側を中心に回転して、その先端側をベース部材７４より前方へ揺動させる。そして、第２戸板本体２２を前方へ移動させた状態において、第２戸板本体２２を右側へ移動することができる。この第２戸板本体２２の右側への移動中、第２被ガイド部７１は、相対的に、第２ガイドレール部２５内を左側へ移動する。
この下端ガイド機構７によって、第２戸板本体２２（及び第１戸板本体１２）の左右のスライドや第２戸板本体２２の前後の移動を阻害せずに、尚且つ、第２戸板本体２２及び第１戸板本体１２の下端側を、戸板開閉に必要な範囲から逸脱させずに、安定した動作をさせることができる。
即ち、下端ガイド機構７は、前記案内部４の傾斜区間４２に被案内部５が案内されて第２戸板２０の前後の移動が行われるのに伴い、第２戸板２０の下端を案内して、上記移動を安定したものとする。
【００２９】
尚、上記の実施の形態において、支持腕２４ｂによって、第１戸板本体１２の前方に位置する、第２戸板本体２２の後方に位置するブラケット２４にとって、第１戸板本体１２が邪魔にならない。また、図４へ示す通り、両戸板１０，２０の正面側（前方Ｆ側）に戸板を固定する構成や戸板の開閉を案内する構成を持たず、引戸の正面の美観を損なわないものである。
【００３０】
上記において被案内部５は、第１戸板１０の２箇所に設けられたものであったが、１箇所であっても、３箇所以上に設けられたものであっても実施できる。
また、上記において、右側の戸板を第１戸板１０とし、左側の戸板を第２戸板２０としたが、左側の戸板を第１戸板１０とし、右側の戸板を第２戸板２０としても実施できる。
【００３１】
上記において、案内部４は第２戸板２０側に設けられ、被案内部５は第１戸板１０側に設けられたものを示した。この他、案内部４が第１戸板１０側に設けられ、被案内部５が第２戸板２０側に設けられるものとしても実施できる。
更に、上記において、戸板（戸板本体）を、２枚備えたものを示したが、３枚以上であっても実施できる。また、その場合、左右に伸びるレールを３本以上設けると共に、前後に伸びる別途のレールを複数設けて、２枚以上戸板（戸板本体）が、前後に変位できるものとし、戸板全体をフラットに並べるものとしてもよい。
更にまた、上記において、本願発明を部屋に設けるウォークイン・クローゼットについて実施するものを示したが、このようなクローゼットに限定するものではなく、他に用いられる引戸、例えば、部屋を複数の区画に分割する間仕切りや、引戸を備える家具についても実施することができる。
【図面の簡単な説明】
【００３２】
【図１】本願発明の一実施の形態に係る引戸の閉鎖状態を示す略背面図である。
【図２】図１に示す引戸の開放状態を示す略背面図である。
【図３】図１に示す引戸の要部略側面図である。
【図４】図２に示す状態の引戸の要部略側面図である。
【図５】第３レールの略断面図である。
【図６】図１に示す引戸の要部斜視図である。
【図７】図１に示す引戸の開放開始の状態を示す要部斜視図である。
【図８】（Ａ）は図１に示す引戸の要部略平面図であり、（Ｂ）は引戸が（Ａ）に示す状態のときの案内部と被案内部の位置関係を示す要部略平面図である。
【図９】（Ａ）は図８（Ａ）から図１０（Ａ）へ示す状態へ移行する途中の引戸の要部略平面図であり、（Ｂ）は（Ａ）に示す状態のときの案内部と被案内部の位置関係を示す要部略平面図である。
【図１０】（Ａ）は図２に示す状態に移行する直前の引戸の要部略平面図であり、（Ｂ）は引戸が（Ａ）に示す状態のときの案内部と被案内部の位置関係を示す要部略平面図である。
【図１１】引戸の要部略縦断面図である。
【図１２】（Ａ）は戸板が図８（Ａ）に示す状態のときの下端ガイド機構の平面図であり、（Ｂ）は戸板が図１０（Ａ）に示す状態のときの下端ガイド機構の平面図である。
【符号の説明】
【００３３】
１  第１レール
２  第２レール
３  第３レール
４  案内部
５  被案内部
７  下端ガイド機構
１０  第１戸板
２０  第２戸板
【図１】
2008121241.tif 000003
【図２】
2008121241.tif 000004
【図３】
2008121241.tif 000005
【図４】
2008121241.tif 000006
【図５】
2008121241.tif 000007
【図６】
2008121241.tif 000008
【図７】
2008121241.tif 000009
【図８】
2008121241.tif 000010
【図９】
2008121241.tif 000011
【図１０】
2008121241.tif 000012
【図１１】
2008121241.tif 000013
【図１２】
2008121241.tif 000014